(57)【要約】  反射状態における好適な反射率と透過状態における好適な反射率が両立した液晶パネルを提供する。  液晶パネル１００は、電圧の印加に応じて透過状態と反射状態とに切り替わる。液晶パネル１００は、液晶素子１０の一方側に設けられた吸収型偏光板２１と、液晶素子１０の他方側に設けられた反射型偏光板２２と、を備える。反射状態においては、吸収型偏光板２１側から入射して液晶素子１０を透過した光が、反射型偏光板２２の反射軸に沿う偏光軸の光となり、反射型偏光板２２で反射される。透過状態においては、吸収型偏光板２１側から入射して液晶素子１０を透過した光が、反射型偏光板２２の反射軸と交差する透過軸に沿う偏光軸の光となり、反射型偏光板２２を透過する。吸収型偏光板２１は、４５０ｎｍ〜６５０ｎｍの波長での平均偏光度が６０％以上かつ８０％以下である。
2018235847.tif 000002
【特許請求の範囲】
【請求項１】
電圧の印加に応じて透過状態と反射状態とに切り替わる液晶パネルであって、
液晶層と、前記液晶層に前記電圧を印加するための透明電極とを含む液晶素子と、
前記液晶素子の一方側に設けられた吸収型偏光板と、
前記液晶素子の他方側に設けられ、前記吸収型偏光板と前記液晶素子を挟んで対向する反射型偏光板と、を備え、
前記反射状態においては、前記吸収型偏光板側から入射して前記液晶素子を透過した光が、前記反射型偏光板の反射軸に沿う偏光軸の光となり、前記反射型偏光板で反射され、
前記透過状態においては、前記吸収型偏光板側から入射して前記液晶素子を透過した光が、前記反射型偏光板の反射軸と交差する透過軸に沿う偏光軸の光となり、前記反射型偏光板を透過し、
前記吸収型偏光板は、４５０ｎｍ〜６５０ｎｍの波長での平均偏光度が６０％以上かつ８０％以下である、
ことを特徴とする液晶パネル。
【請求項２】
前記吸収型偏光板は、４５０ｎｍ〜６５０ｎｍの波長での平均偏光度が６７％以上である、
ことを特徴とする請求項１に記載の液晶パネル。
【発明の詳細な説明】
【技術分野】
【０００１】
本発明は、液晶パネルに関する。
【背景技術】
【０００２】
特許文献１には、一対の基板間に封入された液晶層と、該一対の基板を挟んで位置する吸収型偏光板及び反射型偏光板とを備え、透過状態と鏡状態（反射状態）とに切替可能な液晶パネルが開示されている。特許文献１の液晶パネルは、透過状態において背後に位置する対象（同文献では画像表示部）を視認可能とする。
【先行技術文献】
【特許文献】
【０００３】
【特許文献１】特許第３４１９７６６号公報
【発明の概要】
【発明が解決しようとする課題】
【０００４】
この種の液晶パネルにおいては、反射状態においては鏡としての機能を鑑みると全光反射率が高いことが好ましく、透過状態においては背面側の視認性を鑑みると全光反射率が低いことが好ましく、両者を両立させる点で課題がある。【０００５】
本発明は、上記実情に鑑みてなされたものであり、反射状態における好適な反射率と透過状態における好適な反射率とが両立した液晶パネルを提供することを目的とする。
【課題を解決するための手段】
【０００６】
上記目的を達成するため、本発明の第１の観点に係る液晶パネルは、電圧の印加に応じて透過状態と反射状態とに切り替わる液晶パネルであって、
液晶層と、前記液晶層に前記電圧を印加するための透明電極とを含む液晶素子と、
前記液晶素子の一方側に設けられた吸収型偏光板と、
前記液晶素子の他方側に設けられ、前記吸収型偏光板と前記液晶素子を挟んで対向する反射型偏光板と、を備え、
前記反射状態においては、前記吸収型偏光板側から入射して前記液晶素子を透過した光が、前記反射型偏光板の反射軸に沿う偏光軸の光となり、前記反射型偏光板で反射され、
前記透過状態においては、前記吸収型偏光板側から入射して前記液晶素子を透過した光が、前記反射型偏光板の反射軸と交差する透過軸に沿う偏光軸の光となり、前記反射型偏光板を透過し、
前記吸収型偏光板は、４５０ｎｍ〜６５０ｎｍの波長での平均偏光度が６０％以上かつ８０％以下である、
ことを特徴とする。
【発明の効果】
【０００７】
本発明によれば、反射状態における好適な反射率と透過状態における好適な反射率とが両立した液晶パネルを提供することができる。
【図面の簡単な説明】
【０００８】
【図１】本発明の一実施形態に係る液晶パネルの概略断面図である。
【図２】（ａ）は反射状態を説明するための図であり、（ｂ）は透過状態を説明するための図である。
【図３】（ａ）液晶パネルＡ〜Ｅの吸収型偏光板の偏光度、反射状態における反射率及び透過状態における反射率を示す図であり、（ｂ）吸収型偏光板の偏光度と液晶パネルの反射状態における反射率及び透過状態における反射率との関係を示す図である。
【発明を実施するための形態】
【０００９】
本発明の一実施形態を、図面を参照して説明する。
【００１０】
この実施形態に係る液晶パネル１００は、ねじれネマティック（ＴＮ（Twisted Nematic））型の液晶パネルであり、概略断面視で図１に示すように構成されている。液晶パネル１００は、透過状態と反射状態に切替え可能に構成されている。透過状態における液晶パネル１００は、図２（ａ）（ｂ）に示すように背後に配置された表示部２００の表示像を観察者１に透かして視認させる。一方、反射状態における液晶パネル１００は、図２（ａ）に示すように外光ＮＬなどを観察者１に向けて反射させる鏡として機能する。
【００１１】
なお、以下では、説明の理解を容易とするため、液晶パネル１００の観察者１側を「表側」、その反対側を「裏側」とし、各部を説明する。また、図面の見易さを考慮して、図１及び図２（ａ）（ｂ）においては、適宜、断面を示すハッチングを省略した。また、液晶パネル１００の機能を説明するための図２（ａ）（ｂ）においては、適宜の部材を省略した。
【００１２】
液晶パネル１００は、図１に示すように、液晶素子１０と、液晶素子１０の表側に位置する吸収型偏光板２１と、液晶素子１０の裏側に位置する反射型偏光板２２と、を備える。図示しないが、平面視における液晶パネル１００は、例えば、略矩形状をなしている。
【００１３】
液晶素子１０は、図１に示すように、第１基板１１と、第２基板１２と、液晶層１３と、を備える。
【００１４】
第１基板１１及び第２基板１２は、互いに対向する一対の透明基板であり、例えば、ガラス、プラスチック等から構成されている。第１基板１１と第２基板１２とは、液晶層１３を挟んで対向するように、且つ、互いの主面（対向面）が平行となるように配置されている。第１基板１１は、液晶層１３の表側に位置する。
【００１５】
第１基板１１の液晶層１３側には、透明電極１１ａが設けられている。第２基板１２の液晶層１３側には、透明電極１２ａが設けられている。透明電極１１ａ，１２ａは、スパッタ、蒸着、エッチング等の公知の手法により形成されている。この実施形態においては、透明電極１１ａ，１２ａは、各々、対応する基板面にベタ状に形成され、平面視で略矩形状をなしている。透明電極１１ａ，１２ａは、酸化インジウムを主成分とするＩＴＯ（Indium Tin Oxide）膜等から構成されている。透明電極１１ａ，１２ａを介しての液晶層１３への電圧の印加は、パッシブとアクティブのいずれの駆動方式であってもよい。
【００１６】
また、第１基板１１及び第２基板１２の各々には、図示しない絶縁膜や配向膜が形成されている。絶縁膜は、シリコン系の絶縁膜からなり、透明電極１１ａ，１２ａの各々を液晶層１３側から覆うように形成されている。また、絶縁膜と液晶層１３との間には、配向膜が形成されている。つまり、第１基板１１には、透明電極１１ａ、絶縁膜、及び配向膜が積層形成されている。また、第２基板１２には、透明電極１２ａ、絶縁膜、及び配向膜が積層形成されている。
【００１７】
配向膜は、液晶層１３と接し、液晶層１３が含む液晶分子１３ａ（図２（ａ）（ｂ）において模式的に表した）の配向状態を規定するためのものであり、例えばポリイミドから、公知の方法（例えば、フレクソ印刷）によって形成される。配向膜には、ラビング処理が施されている。この実施形態においては、表側の配向膜（つまり、第１基板１１に形成された配向膜）のラビング方向と、裏側（つまり、第２基板１２に形成された配向膜）のラビング方向とは、基板法線方向（第１基板１１と第２基板１２の対向面の法線方向）から見て略直交（丁度、直交も含む）する。このようにラビング処理が施された両配向膜により、液晶分子１３ａの配向が規制されている。なお、配向膜に施される配向処理は、ラビング処理に限らず、光配向処理、突起配向処理等の他の公知の処理によってもよい。
【００１８】
液晶層１３は、第１基板１１及び第２基板１２を接合するためのシール材（図示せず）と両基板とによって形成される密閉空間に液晶材が封入されることによって形成される。液晶層１３の厚み（セルギャップ）は、第１基板１１と第２基板１２との間に設けられたスペーサ（図示せず）によって規定されている。液晶層１３の液晶分子１３ａは、配向膜の配向規制力により、その長軸の向きが液晶層１３の第１基板１１側の端部と第２基板１２側の端部とで９０°ねじれる（ツイスト角が９０°）とともに、一方の基板側から他方の基板側にいくにつれて少しずつ回転（旋回）するように配向する（カイラル構造）。このようにして、電圧無印加時における液晶層１３は、カイラリティを有する。
【００１９】
吸収型偏光板２１は、透過軸（以下、第１透過軸ともいう）と、第１透過軸と直交する吸収軸とを有する。吸収型偏光板２１は、入射した光のうち、第１透過軸と平行な偏光方向の光を透過させる。
【００２０】
反射型偏光板２２は、透過軸（以下、第２透過軸ともいう）と、第２透過軸と直交する反射軸とを有する。反射型偏光板２２は、入射した光のうち、第２透過軸と平行な偏光方向の光を透過させ、反射軸と平行な偏光方向の光を反射させる。
【００２１】
この実施形態では、基板法線方向から見て、吸収型偏光板２１の第１透過軸と、反射型偏光板２２の第２透過軸とが互いに略平行（丁度、平行も含む）となるように、両偏光板は配置されている（平行ニコル配置）。また、表側の配向膜（つまり、第１基板１１に形成された配向膜）のラビング方向と、吸収型偏光板２１の吸収軸が沿う方向とが、平行となるように設定されている。
【００２２】
吸収型偏光板２１は、第１基板１１の表側の面に、第１透明粘着膜３１を介して貼り付けられている。反射型偏光板２２は、第２基板１２の裏側の面に、第２透明粘着膜３２を介して貼り付けられている。なお、液晶素子１０と各偏光板の間に、位相差板などの光学素子を設けてもよい。この場合は、液晶素子１０と偏光板の間に位置する光学素子に、当該偏光板を貼り付ければよい。
【００２３】
第１透明粘着膜３１、第２透明粘着膜３２は、各々、例えば、アクリル系の透明粘着剤（アクリル系ポリマー）等から構成されている。第１透明粘着膜３１は、吸収型偏光板２１の第１基板１１に貼り付けられる面に、透明粘着剤を塗工することで形成される。第２透明粘着膜３２は、反射型偏光板２２の第２基板１２に貼り付けられる面に、透明粘着剤を塗工することで形成される。
【００２４】
以上の構成からなる液晶パネル１００は、透過状態においては、図２（ｂ）に示すように、表示部２００の表示光Ｌ（表示画像を表す光）を透過させる。液晶パネル１００の裏側に位置する表示部２００は、例えば、バックライトを有する液晶表示ディスプレイや、有機ＥＬ（Electro Luminescence）ディスプレイから構成され、液晶パネル１００に向かって画像を表示する。なお、透過状態の液晶パネル１００が透かして視認させる対象は、画像を表示する表示部２００に限られず、文字板や看板であったり、風景であったりしてもよい。
【００２５】
ここで、液晶パネル１００は、次のように反射状態と透過状態とに切替えが可能となっている。
【００２６】
（反射状態）
駆動電圧が印加されていない状態では、液晶表示素子１００では、図２（ａ）に示すように、液晶分子１３ａが実質的に基板面と平行であり、液晶層１３はカイラリティを有したままである。この状態で、外光ＮＬが液晶パネル１００の表側から入射すると、吸収型偏光板２１を透過して第１透過軸と平行な直線偏光となり、液晶層１３を透過すると、液晶層１３のカイラリティにより９０°偏光方向が変換されて、反射型偏光板２２の反射軸に沿う直線偏光となるため、反射型偏光板２２で反射される。この反射光は、液晶層１３を透過して、再び偏光方向が９０°変換されるため、吸収型偏光板２１を透過する。このようにして、液晶パネル１００は、反射状態においては鏡として機能する。以下では、反射状態の液晶パネル１００のうち、鏡として機能する部分をアクティブエリアと呼ぶ。
【００２７】
一方、表示光Ｌが液晶パネル１００の裏側から入射すると、反射型偏光板２２を透過して第２透過軸と平行な直線偏光となり、液晶層１３を透過すると、９０°偏光方向が変換されて、吸収型偏光板２１の吸収軸に沿う直線偏光となるため、吸収型偏光板２１を透過できない。このように、表示光Ｌは液晶パネル１００の表側には進めないため、仮に表示光Ｌが液晶パネル１００に入射したとしても表示部２００の表示画像は観察者１に視認されない。なお、表示光Ｌは、表示部２００を出射する際に、第２の透過軸と平行な直線偏光としてもよい。
【００２８】
（透過状態）
駆動電圧の印加時においては、液晶パネル１００では、図２（ｂ）に示すように、液晶分子１３ａは、電圧の印加方向（基板法線方向）に沿うように配向し、そのカイラリティが失われる。この状態で、表示光Ｌが液晶パネル１００の裏側から入射すると、反射型偏光板２２を透過して第２透過軸と平行な直線偏光となるが、液晶層１３を透過しても偏光方向は変換されないため、第２透過軸と平行な第１透過軸を有する吸収型偏光板２１を透過する。このようにして、液晶パネル１００は、表示光Ｌを透過させ、表示部２００の表示画像を透かして視認させる。
なお、外光ＮＬが液晶パネル１００の表側から入射すると、吸収型偏光板２１を透過して第１透過軸と平行な直線偏光のまま液晶層１３を透過するため、第１透過軸と平行な第２透過軸を有する反射型偏光板２２を透過し、反射型偏光板２２では反射しない（漏れ光による反射は除く）。
【００２９】
ここからは、反射状態において好ましい全光反射率と透過状態において好ましい全光反射率とを両立する液晶パネル１００の条件をどのようにして設定したかを、主に図３を参照して説明する。
【００３０】
本願発明者らは、吸収型偏光板２１の偏光度によって液晶表示パネル１００の反射率が変化することに着目し、当該偏光度の好適な条件を見出すために、５種類の液晶パネルのサンプル（図３（ａ）に示す液晶パネルＡ〜Ｅ）を作成した。
【００３１】
液晶パネルＡ〜Ｅは、液晶パネル１００と同様な構成を有するが、各々、吸収型偏光板２１の４５０ｎｍ〜６５０ｎｍの波長での平均偏光度が異なるものである。図３における「偏光度」は、４５０ｎｍ〜６５０ｎｍの波長での平均偏光度、より具体的には、４５０ｎｍ〜６５０ｎｍの範囲の５ｎｍ毎の各波長（４５０、４５５、・・・、６４５、６５０）の偏光度の平均値を示している。以下、４５０ｎｍ〜６５０ｎｍの波長での平均偏光度を単に「偏光度」ともいう。なお、各サンプルは、次の材料を用い作成したものである。第１基板１１及び第２基板１２（厚み１．１ｍｍガラス基板：日本板硝子社製）、液晶層１３を構成する液晶材（ＡＧＣセイミケミカル社製）、第１透明粘着膜３１及び第２透明粘着膜３２（膜厚２５μｍ：ポラテクノ社製）、吸収型偏光板２１（ポラテクノ社製）、反射型偏光板２２（３Ｍ社製、ＤＢＥＦ）。
【００３２】
偏光度に着目すると、まず、図３（ａ）に示すように、液晶パネルＡは偏光度が５７．７％であり、液晶パネルＢは偏光度が６４．６％であり、液晶パネルＣは偏光度が７２．５％であり、液晶パネルＤは偏光度が８５．１％であり、液晶パネルＥは偏光度が９９．９％である。
【００３３】
このように作成した５種類のサンプル（液晶パネルＡ〜Ｅ）の全光反射率の測定を行った。全光反射率（以下、単に反射率ともいう）は、液晶パネルの表側（吸収型偏光板２１側）から入射した全ての光のうち再び表側から出射する光の比率である。この反射率は、紫外可視近赤外分光光度計Ｕ−４１００(株式会社日立ハイテクサイエンス製)で測定した。
【００３４】
このようにして測定した反射率に着目すると、図３（ａ）に示すように、液晶パネルＡは反射状態における反射率が４５．４％であり、透過状態における反射率が１２．５％であった。液晶パネルＢは反射状態における反射率が４５．３％であり、透過状態における反射率が１０．６％であった。液晶パネルＣは反射状態における反射率が４２．５％であり、透過状態における反射率が８．６％であった。液晶パネルＤは反射状態における反射率が３８．０％であり、透過状態における反射率が７．５％であった。液晶パネルＥは反射状態における反射率が３４．７％であり、透過状態における反射率が６．９％であった。ここで、液晶パネル１００の反射状態における反射率は４０％以上であることが好ましい。鏡として十分な明るさの反射像を得るためである。一例として、日本工業規格ＪＩＳ  Ｄ  ５７０５「自動車用ミラー」では反射率が３５％以上と定められている。また、液晶パネル１００の透過状態における反射率は１２％以下であることが好ましく、１０％以下であることが更に好ましい。本願発明者が鋭意検討した結果、液晶パネル１００を透かして背面側（例えば表示部２００の表示画像）を視認する場合、反射率が１２％を超えると著しく見栄えが低下し、１０％以下であれば高い品質の見栄えが得られることがわかった。
【００３５】
そして、測定した反射率と反射状態における反射率との関係に着目すると、図３（ｂ）に示すように、液晶パネル１００は、吸収型偏光板２１の４５０ｎｍ〜６５０ｎｍの波長での平均偏光度が８０．０％以下であるときに、反射状態における反射率は好適な反射率４０％以上となる。一方、液晶パネル１００は、吸収型偏光板２１の４５０ｎｍ〜６５０ｎｍの波長での平均偏光度が６０．０％以上であるときに、透過状態における反射率は好適な反射率１２％以下となり、吸収型偏光板２１の４５０ｎｍ〜６５０ｎｍの波長での平均偏光度が６７．０％以上であるときに、透過状態における反射率は更に好適な反射率１０％以下となる。すなわち、液晶パネル１００は、反射状態における好適な反射率と透過状態における好適な反射率を両立するためには、吸収型偏光板２１の４５０ｎｍ〜６５０ｎｍの波長での平均偏光度が６０％以上かつ８０％以下であることが望ましく、６７％以上かつ８０％以下であることが更に望ましい。
【００３６】
（１）以上に説明した液晶パネル１００は、吸収型偏光板２１の４５０ｎｍ〜６５０ｎｍの波長での平均偏光度を６０％以上かつ８０％以下とすることにより、反射状態における好適な全光反射率と透過状態における好適な全光反射率とを両立することができる。
（２）また、液晶パネル１００は、吸収型偏光板２１の４５０ｎｍ〜６５０ｎｍの波長での平均偏光度を６７％以上とすることにより、透過状態における更に好適な全光反射率を得ることができる。
【００３７】
なお、本発明は上記の実施形態及び図面によって限定されるものではない。これらに変更（構成要素の削除も含む）を加えることができるのはもちろんである。
【００３８】
以上の説明では、液晶パネル１００において、吸収型偏光板２１の第１透過軸と反射型偏光板２２の第２透過軸とを平行に設定し、駆動電圧が印加されていない際に反射状態となり、駆動電圧の印加時に透過状態となる例（ノーマリ反射）を示したが、これに限られない。吸収型偏光板２１の第１透過軸と、反射型偏光板２２の第２透過軸とを略直交に設定し、駆動電圧の印加時に反射状態とし、駆動電圧が印加されていない状態で透過状態となるように液晶パネル１００を構成してもよい（ノーマリ透過）。ノーマリ透過の例では、液晶パネル１００は、次のように反射状態と透過状態とに切り替えが可能となる。
【００３９】
（反射状態）
駆動電圧の印加時においては、液晶パネル１００では、前述のように、液晶分子１３ａは、電圧の印加方向（基板法線方向）に沿うように配向し、そのカイラリティが失われる。この状態で、外光ＮＬが液晶パネル１００の表側から入射すると、吸収型偏光板２１を透過して第１透過軸と平行な直線偏光のまま液晶層１３を透過するため、第１透過軸と平行な反射型偏光板２２の反射軸に沿う直線偏光となり、反射型偏光板２２で反射される。この反射光は、そのまま再び液晶層１３を透過して、反射軸と略直交する第１透過軸を有する吸収型偏光板２１を透過する。このようにして、液晶パネル１００は、反射状態においては鏡として機能する。
一方、表示光Ｌが液晶パネル１００の裏側から入射すると、反射型偏光板２２を透過して第２透過軸と平行な直線偏光となり、そのまま液晶層１３を透過するため、第２透過軸と平行な吸収軸を有する吸収型偏光板２１を透過できない。このように、表示光Ｌは液晶パネル１００の表側には進めないため、仮に表示光Ｌが液晶パネル１００に入射したとしても表示部２００の表示画像は観察者１に視認されない。
【００４０】
（透過状態）
駆動電圧が印加されていない状態では、液晶パネル１００では、前述のように、液晶分子１３ａが実質的に基板面と平行であり、液晶層１３はカイラリティを有したままである。この状態で、表示光Ｌが液晶パネル１００の裏側から入射すると、反射型偏光板２２を透過して第２透過軸と平行な直線偏光となり、液晶層１３を透過すると、液晶層１３のカイラリティにより９０°偏光方向が変換されて、第２透過軸と略直交する第１透過軸を有する吸収型偏光板２１を透過する。このようにして、液晶パネル１００は、表示光Ｌを透過させ、表示部２００の表示画像を透かして視認させる。
なお、外光ＮＬが液晶パネル１００の表側から入射すると、吸収型偏光板２１を透過して第１透過軸と平行な直線偏光となり、液晶層１３を透過すると、液晶層１３のカイラリティにより９０°偏光方向が変換されて、第１透過軸と平行な反射型偏光板２２の反射軸と略直交する第２透過軸に沿う直線偏光となり、第２透過軸を有する反射型偏光板２２を透過し、反射型偏光板２２では反射しない（漏れ光による反射は除く）。
【００４１】
また、液晶パネル１００の用途も任意である。時計や携帯端末（例えば、透過状態で液晶パネル１００の裏側にある表示部２００による情報表示を行い、反射状態では鏡として機能）や、所定の窓の透過・反射制御（例えば、透過状態で景色を透過する窓となり、反射状態で鏡として機能）や、車のサイドミラーやルームミラー（例えば、透過状態で液晶パネル１００の裏側にある表示部２００により車両情報やカメラ画像を表示）など種々の用途に適用可能である。
【００４２】
また、以上では、基板法線方向から見た場合の液晶パネル１００が略矩形状であるとしたが、円形状、多角形状などであってもよく、形状は用途に応じて任意である。同様に、基板法線方向から見た場合の透明電極１１ａ、１２ａの形状も任意である。
【００４３】
また、以上では、液晶素子１０がツイスト角が９０°であるＴＮ型の液晶である例を示したが、これに限られない。前記した反射状態と透過状態とが液晶層１３への電圧の印加に応じて実現可能であれば、ツイスト角は、９０°未満であってもよいし、９０°より大きくてもよい。例えば、液晶素子１０は、ＳＴＮ（Super Twisted Nematic）型のものであってもよい。また、反射状態と透過状態とが液晶層１３への電圧の印加に応じて実現可能であれば、吸収型偏光板２１の第１透過軸と、反射型偏光板２２の第２透過軸とは、平行又は直交の関係でなくともよいし、これらの光学軸と配向膜のラビング方向とも、平行又は直交の関係でなくともよい。透過状態での視角特性や反射状態での反射特性を勘案して、各光学軸を適宜ずらすことも可能である。
【００４４】
以上の説明では、本発明の理解を容易にするために、公知の技術的事項の説明を適宜省略した。
【符号の説明】
【００４５】
１００…液晶パネル
１０…液晶素子
１１…第１基板、１１ａ…透明電極、１２…第２基板、１２ａ…透明電極
１３…液晶層、１３ａ…液晶分子
２１…吸収型偏光板
２２…反射型偏光板
３１…第１透明粘着膜
３２…第２透明粘着膜
【図１】
2018235847.tif 000003
【図２】
2018235847.tif 000004
【図３】
2018235847.tif 000005
【国際調査報告】
2018235847.tif 000006
2018235847.tif 000007